(57)【特許請求の範囲】
【請求項１】
空気噴出し口を形成した用紙トレイと、前記用紙トレイを振動させる振動手段と、前記用紙トレイの空気噴出し口に空気を供給するエアポンプと、前記振動手段および前記エアポンプの駆動および停止を制御するスイッチとを備え、前記スイッチの駆動操作により前記用紙トレイを振動させながら用紙トレイに積層した用紙に空気を吹き付けて捌き、積層した用紙の端面を揃えてなる用紙揃装置であって、前記振動手段と前記スイッチとの間に、前記スイッチの停止操作による前記エアポンプの停止後も所定時間前記振動手段の駆動を継続するタイマを設けたことを特徴とする用紙揃装置。
【発明の詳細な説明】
【０００１】
【発明の属する技術分野】
本発明は、積層した用紙の端面を揃える用紙揃装置に関するものである。
【０００２】
【従来の技術】
製本の各工程において、積層した用紙の端面を揃える処理を経て、当該用紙を次工程に送る場合がある。図７は、このような積層した用紙の端面を揃える用紙揃装置の一例を示す斜視図である。
【０００３】
図７において、用紙揃装置１ａは、基台２に支持フレ−ム３を固定し、支持フレ−ム３に用紙トレイ９の固定部４を回動自在に取り付けている。５はハンドル、６は円弧状の溝、７は支点である。この用紙トレイ９は、ゴムパッド等を介して用紙トレイの固定部４と連結されている。
【０００４】
ハンドル５を操作して円弧状の溝６内を移動させることにより、用紙トレイ９の固定部４は矢視Ｒａ方向（時計方向および反時計方向）に回動する。このため、図７は用紙トレイ９に縦方向から用紙を差し込む構成であるが、用紙トレイ９を図７よりも寝かせた状態として、用紙を横方向から差し込む構成とすることもできる。
【０００５】
用紙トレイ９には、用紙載置板９ａ、第１の用紙揃え板１０、第２の用紙揃え板１１、第１の用紙揃え板１０の上部端面に取り付けられる第１の落下防止板１２、第２の用紙揃え板１１の上部端面に取り付けられる第２の落下防止板１３が設けられている。
【０００６】
第１の用紙揃え板１０と第２の用紙揃え板１１の延長部分は互いに直交するように配置されている。作業者が、積層されて用紙トレイ９に収納された用紙Ｐの直交する二端面を、第１の用紙揃え板１０と第２の用紙揃え板１１に当接させながら用紙を捌く処理を行なう。
【０００７】
このような処理を行なうことにより、用紙の直交する二端面を揃えることができるので、他の二端面も揃えられることになり、積層した用紙は全体としてすべての端面が揃えられることになる。この際に、積層した用紙Ｐの端部Ｐａは、第１の用紙揃え板１０と第２の用紙揃え板１１間に設けられている空間から突出させている。
【０００８】
図７の構成では、作業者が用紙の紙質の種類に応じた捌きを十分に行なわない場合や、前工程で静電気が発生して互いに用紙が吸着している場合等には、用紙の端面が正確には揃えられないという問題が生じる。
【０００９】
このため、用紙トレイ９に振動モ−タを取り付け、用紙トレイ９を振動させながら積層した用紙の端面を揃える用紙揃装置が開発されている。１４は用紙載置板９の裏面に取り付けられている振動モ−タ、８は足踏スイッチで、振動モ−タ１４のオンオフ制御を行なう。振動モ−タ１４は、例えば回転軸に錘を取り付け、この錘の上下動により用紙トレイ９に振動を与えている。
【００１０】
このような振動モ−タ１４により用紙トレイ９を振動させると、積層した用紙はその接触面が互いにずらされるようにして捌かれつつ、用紙揃え板１０、１１に当接するので、積層した用紙の端面を正確に揃えることができる。なお、用紙トレイ９は前記のようにゴムパッド等の弾性吸収部材を介して用紙トレイの固定部４と連結されているので、用紙トレイ９の振動は用紙トレイの固定部４には伝達されない。
【００１１】
このように、用紙トレイ９に振動モ−タ１４を取り付けることにより、積層した用紙の端面を揃えることができるが、用紙の互いの接触面が静電気の作用で強固に吸引されている場合等には、振動モ−タ１４により振動を与えても用紙の捌きが十分には行われないこともある。
【００１２】
そこで、エアポンプを設置し、当該エアポンプに配管を介して連接される空気の吹き出し口を用紙トレイに設ける用紙揃装置が考案されている。この用紙揃装置は、用紙トレイに収納されている積層した用紙に、空気の吹き出し口から空気を吹き付け、合わせて振動モ−タにより用紙トレイを振動させて用紙を捌き、積層した用紙の端面を揃えるものである。
【００１３】
図８は、前記のような振動モ−タとエアポンプを有する用紙揃装置の制御の一例を示すタイミングチャ−トである。（ａ）は振動モ−タの動作のタイミングを、（ｂ）はエアポンプの動作のタイミングを示している。振動モ−タとエアポンプは、図７に示したような足踏スイッチ８によりオンオフ制御される。
【００１４】
図８において、時刻ｔａのタイミングで作業者が足踏スイッチ８をオンにして振動モ−タとエアポンプを同時に動作させる。振動モ−タとエアポンプを所定時間運転し、用紙トレイに積層して収納されている用紙が十分に捌かれたと判断されると、時刻ｔｂのタイミングで作業者が足踏スイッチ８をオフにして振動モ−タとエアポンプを同時に停止させる。
【００１５】
【発明が解決しようとする課題】
このように、振動モ−タとエアポンプを同時に停止させると、図９の側面図に示すように積層した用紙Ｐ間に吹き込まれた空気が残存している。このため、空隙Ｇが形成された状態で用紙トレイの振動が停止してしまうので、用紙の端面が乱れて端面を整合させて揃えることができない場合があるという問題があった。
【００１６】
本発明はこのような問題に鑑み、振動モ−タとエアポンプを用いて積層した用紙の端面を揃える際に、用紙間に残存する空気による端面の乱れを防止し、端面を整合させて揃える用紙揃装置の提供を目的とする。
【００１７】
【課題を解決するための手段】
上記目的は、本発明に係る用紙揃装置を、空気噴出し口を形成した用紙トレイと、前記用紙トレイを振動させる振動手段と、前記用紙トレイの空気噴出し口に空気を供給するエアポンプと、前記振動手段および前記エアポンプの駆動および停止を制御するスイッチとを備え、前記スイッチの駆動操作により前記用紙トレイを振動させながら用紙トレイに積層した用紙に空気を吹き付けて捌き、積層した用紙の端面を揃えてなる用紙揃装置であって、前記振動手段と前記スイッチとの間に、前記スイッチの停止操作による前記エアポンプの停止後も所定時間前記振動手段の駆動を継続するタイマを設けた構成とすることにより達成される。
【００１８】
このように、本発明の用紙揃装置は、用紙トレイを振動させながら用紙トレイに積層して収納された用紙に空気を吹き付けて捌き、積層した用紙の端面を揃える際に、エアポンプの停止後も所定時間振動手段の動作を継続している。このため、積層した用紙間に残存している空気を抜き出しながら、さらに用紙トレイを振動させるので、端面の乱れを防止し、積層した用紙の端面を整合させて揃えることができる。
【００１９】
【発明の実施の形態】
以下、本発明に適用される用紙揃装置の実施の形態について図により説明する。図１は正面図、図２は図１の矢視Ｘ方向からみた側面図である。この用紙揃装置１は、図２に示すように基台２にエアポンプ２１を設置し、エアポンプ２１から支持フレ−ム３内に設けた直立配管２２ａを介して、湾曲配管２２ｂに空気を供給している。
【００２０】
また、図示されていないが直立配管２３ａを介して、湾曲配管２３ｂにも空気が供給される。用紙トレイ９は、ゴムパッド１５により用紙トレイ９の固定部４と連結されている。
【００２１】
図３は、図１を部分的に拡大して一部破断して示す正面図である。一方の湾曲配管２３ｂは空気室２４と連通し、第２の用紙揃え板１１に形成されている空気吹き出し口２５ａ、２５ｂより空気を吹き出す。他方の湾曲配管２２ｂも同様に空気室と連通し、第１の用紙揃え板１０に形成されている空気吹き出し口より空気を吹き出す。
【００２２】
このように、第１の用紙揃え板１０と第２の用紙揃え板１１から空気を吹き出す構成とすることにより、用紙トレイ９に積層して収納されている用紙の側面に二方向から空気が吹き付けられながら、用紙トレイ９を振動させているので、積層した用紙の捌きを効果的に行なうことができる。
【００２３】
図４は、本発明の用紙揃装置に用いる制御装置の動作を説明するブロック図である。制御装置３０は、リレ−回路やタイマを設けており、足踏スイッチ８のオンオフ信号Ｓａが入力される。また、振動モ−タ１４の制御信号Ｓｂとエアポンプ２１の制御信号Ｓｃが出力される。
【００２４】
図５は、振動モ−タ１４とエアポンプ２１の制御の一例を示すタイミングチャ−トである。図５において、足踏スイッチ８のオン信号Ｓａが入力されると、時刻ｔａで制御装置３０は制御信号Ｓｂと制御信号Ｓｃをハイレベルで出力し、振動モ−タ１４とエアポンプ２１を駆動する。
【００２５】
時刻ｔａから所定時間経過した時刻ｔｂで足踏スイッチ８をオフにする。この際に、制御信号Ｓｃがロ−レベルになることによりエアポンプ２１の運転は停止するが、タイマが動作して制御信号Ｓｂはハイレベルを維持し、振動モ−タ１４の運転は継続する。タイマの設定時間が経過すると、制御信号Ｓｂがロ−レベルに反転し振動モ−タ１４が停止する。タイマの時間設定は、予め一定時間を設定しておくことも、また、作業者が任意の時間を設定することもできる。
【００２６】
このように、エアポンプ２１の運転停止後も所定時間振動モ−タ１４の運転を継続することにより、積層された用紙間に残存している空気が次第に抜け出していき、この状態でさらに用紙トレイ９が振動しているので、積層された用紙は、図６の側面図に示すように端面が整合して揃えられる。
【００２７】
上記の例では、用紙トレイ９に振動モ−タを取り付けて用紙トレイ９を振動させているが、振動モ−タ以外にも、例えば電磁手段で付勢されるバイブレ−タのような振動手段を用いて用紙トレイ９を振動させることもできる。
【００２８】
【発明の効果】
以上説明したように、本発明の用紙揃装置は、用紙トレイを振動させながら用紙トレイに積層して収納された用紙に空気を吹き付けて捌き、積層した用紙の端面を揃える際に、エアポンプの停止後も所定時間振動手段の動作を継続している。このため、積層した用紙間に残存している空気を抜き出しながら、さらに用紙トレイを振動させるので、端面の乱れを防止し、積層した用紙の端面を整合させて揃えることができる。
【図面の簡単な説明】
【図１】本発明の実施の形態に係る用紙揃装置の概略の構成を示す正面図である。
【図２】図１の矢視Ｘ方向からみた側面図である。
【図３】図１を部分的に拡大した正面図である。
【図４】制御装置の例を示すブロック図である。
【図５】本発明の振動モ−タとエアポンプの動作を示すタイミングチャ−トである。
【図６】本発明の用紙揃えの状態を示す側面図である。
【図７】従来の用紙揃装置を示す斜視図である。
【図８】従来の振動モ−タとエアポンプの動作を示すタイミングチャ−トである。
【図９】従来の用紙揃えの状態を示す側面図である。
【符号の説明】
１    用紙揃装置
２    基台
３    支持フレ−ム
４    用紙トレイの固定部
８    足踏スイッチ
９ａ  用紙載置板
１２    第１の落下防止板
１３    第２の落下防止板
２２ｂ、２３ｂ  湾曲配管
【図１】
0004219505.tif 000002
【図２】
0004219505.tif 000003
【図３】
0004219505.tif 000004
【図４】
0004219505.tif 000005
【図５】
0004219505.tif 000006
【図６】
0004219505.tif 000007
【図７】
0004219505.tif 000008
【図８】
0004219505.tif 000009
【図９】
0004219505.tif 000010